(57)【要約】【課題】  簡潔の構造でスライド駆動を行い、さらに、簡潔の構造で不純物などの侵入を防止するスライド駆動装置を提供すること。【解決手段】  本発明のスライド駆動装置１０は、長手方向に沿った側面にスリット１２が形成された長方形状の筺体１１と、スリット１２に沿ってスライド可能の筺体１１に内蔵されたスライド部２０と、スライド部２０をスライド駆動するスライド駆動部３０とを備え、スライド駆動部３０は、筺体１１の長手方向の一方の端部に回動自在に取付けられる駆動ローラ３１と、他方の端部に回転自在に取付けられるローラ３２と、駆動ローラ３１とローラ３２に掛けられ一方の端がスライド部２０の一方に固定され、他方の端がスライド部２０の他方に固定され、駆動ローラ３１には少なくとも二重に掛けられるワイヤ３３とを設けることとした。【選択図】  図１
2005106264.tif 000002
【特許請求の範囲】
【請求項１】
長手方向に沿った側面にスリットが形成された長方形状の筺体と、前記スリットに沿ってスライド可能の前記筺体に内蔵されたスライド部と、前記スライド部をスライド駆動するスライド駆動部とを備え、前記スライド駆動部は、前記筺体の長手方向の一方の端部に回動自在に取付けられる駆動ローラと、前記筺体の長手方向の他方の端部に回転自在に取付けられるローラと、前記駆動ローラと前記ローラに掛けられ一方の端が前記スライド部の一方に固定され、他方の端が前記スライド部の他方に固定され、前記駆動ローラには少なくとも二重に掛けられるワイヤとを設けたことを特徴とするスライド駆動装置。
【請求項２】
前記スライド部は、予め定めた液体を噴射する噴射ノズルを設けたことを特徴とする請求項１に記載のスライド駆動装置。
【請求項３】
一端が前記スライド部の一方の側に取付けられ、他端が前記スライド部の他方の側に取付けられ、前記スリットをシールするシールベルトを備えたことを特徴とする請求項１に記載のスライド駆動装置。
【請求項４】
前記シールベルトは、ステンレスの薄板を使用することを特徴とする請求項３に記載のスライド駆動装置。
【請求項５】
前記スライド部は、スライド可能の窓に取り付けることを特徴とする請求項１に記載のスライド駆動装置。
【発明の詳細な説明】
【技術分野】
【０００１】  本発明は、スライド駆動装置に関し、特に、簡潔の構造でスライド駆動し、さらに、簡潔の構造で不純物などの侵入を防止するスライド駆動装置に関する。
【背景技術】
【０００２】  従来のスライド駆動装置には、抄紙機に使用されているものがある。抄紙機は、紙原料液を噴出して湿紙を形成する湿紙形成装置（ワイヤパート）と、形成された湿紙をローラでプレスしながら脱水するプレス装置（プレスパート）と、脱水した湿紙を複数のローラに掛けて搬送し乾燥する乾燥装置（ドライヤパート）とで構成され、紙の製造が行われている（例えば、特許文献１参照）。【０００３】  この種の従来の抄紙機は、古紙により再生紙を製造する場合があるが、古紙に含まれる不純物などが付着することがあるため湿紙の送りむらや紙不良を起こす恐れがあり、ミストランナと呼ばれるスライド駆動装置により不純物などの付着を防止する付着防止液を湿紙やローラに噴射していた。【０００４】  図３は、従来のミストランナと呼ばれるスライド駆動装置の図を示し、図３（ａ）は、一部を切り欠いた側面図を示し、図３（ｂ）は、図３（ａ）の矢視ＡＡの断面図を示す。
図３に示すように、従来のミストランナと呼ばれるスライド駆動装置１１０は、長手方向の全周に沿ってスリット１１２が形成された長方形状の筺体１１１と、筺体１１１に内蔵されスリット１１２の下側に沿ってスライド可能のスライド部１２０と、スライド部１２０をスライド可能に駆動するスライド駆動部１３０と、スライド部１２０がスライドしてもスリット１１２をシールするシール機構１４０とで構成されている。
筺体１１１は、スリット１１２を挟み筺体１１ａと筺体１１ｂとに分割され、筺体１１１ａと筺体１１１ｂとは固定ブラケット１１３により互いに固定されている。
スライド部１２０は、４個の車輪２２が取付けられ、スリット１１２に沿ってスライド可能に筺体１１１に取付けられ、下側には噴射ノズル１２３が設けられている。
スライド駆動部１３０は、筺体１１１の長手方向の一方の端部に回動自在に取付けられた駆動スプロケット１３１と、他方の端部に回転自在に取付けられたスプロケット（図示せず）と、駆動スプロケット３１とスプロケットに掛けられ一方の端がスライド部２０の一方に固定され、他方の端がスライド部２０の他方に固定されたチェーン１３３とで構成されている。そのため、駆動スプロケット３１が、駆動モータ（図示せず）により回転駆動したとき、スライド部２０をチェーン１３３によりスライド駆動している。
湿紙には古紙に含まれる不純物などが混入しており、湿紙から飛散するため、飛散した不純物などの内部への侵入防止を行うため、シール機構１４０は、チェーン１３３を構成する複数の連結されたチェーン部１３３ａごとにそれぞれシール板１３４が取付けられ、スリット１１２のシールを行っている。【０００５】  従って、以上の構成により、従来のミストランナと呼ばれるスライド駆動装置１１０は、スライド駆動部１３０によりスライド部１２０がスリット１１２に沿ってスライドし、スライド部１２０に設けられた噴射ノズル１２３から付着防止液が噴射される。また、スライド部１２０がスリット１１２に沿ってスライドし、噴射ノズル１２３から付着防止液を噴射するとき、チェーン１３３に設けられたシール板１１３によりスリット１１２をシールしている。
そのため、従来のミストランナと呼ばれるスライド駆動装置１１０は、噴射ノズル１２３をスライドさせながらスライド部１２０がスリット１１２に沿ってスライドすると共に、スリット１１２をシールして飛散した古紙に含まれる不純物などの内部への侵入を防止している。
また、従来のスライド駆動装置には、温室などで用いられるスライド式の天窓や、工場などで用いられるスライド式の吊窓に使用されているものがある（例えば、特許文献２参照）。これらの従来のスライド式の窓は、ラックとピニオンギア機構のスライド駆動装置でスライド駆動が行われている。【０００６】
【特許文献１】  特開２００２−２２７０８７号公報
【特許文献２】  特開２００３−１５３６３４号公報
【発明の開示】
【発明が解決しようとする課題】
【０００７】  しかしながら、従来のミストランナと呼ばれるスライド駆動装置は、チェーン１３３でスライド部１２０をスライド駆動するため複雑の構造でコスト高となっていたという問題があった。さらに、内部への不純物などの侵入を防止するときには、チェーン１３３で駆動するための隙間をチェーン１３３の外側に設けた多数のシール板１３４でシーリングしているため、複雑の構造でコスト高となっていたという問題があった。
また、スライド式の窓に使用されるスライド駆動装置は、ラックとピニオンギア機構のスライド駆動装置でスライド駆動が行われているため、複雑の構造でコスト高となっていたという問題があった。【０００８】  本発明は、このような従来の問題に鑑みてなされたもので、簡潔の構造でスライド駆動を行い、さらに、簡潔の構造で不純物などの侵入を防止するスライド駆動装置を提供することを目的とする。
【課題を解決するための手段】
【０００９】  本発明のスライド駆動装置は、長手方向に沿った側面にスリットが形成された長方形状の筺体と、前記スリットに沿ってスライド可能の前記筺体に内蔵されたスライド部と、前記スライド部をスライド駆動するスライド駆動部とを備え、前記スライド駆動部は、前記筺体の長手方向の一方の端部に回動自在に取付けられる駆動ローラと、前記筺体の長手方向の他方の端部に回転自在に取付けられるローラと、前記駆動ローラと前記ローラに掛けられ一方の端が前記スライド部の一方に固定され、他方の端が前記スライド部の他方に固定され、前記駆動ローラには少なくとも二重に掛けられるワイヤとを設けることとした。【００１０】  前記スライド部は、予め定めた液体を噴射する噴射ノズルを設けることとした。【００１１】  また、一端が前記スライド部の一方の側に取付けられ、他端が前記スライド部の他方の側に取付けられ、前記スリットをシールするシールベルトを備えることとした。【００１２】  また、前記シールベルトは、ステンレスの薄板を使用することとした。【００１３】  さらに、前記スライド部は、スライド可能の窓に取り付けることとした。
【発明の効果】
【００１４】  本発明のスライド駆動装置は、長手方向に沿った側面にスリットが形成された長方形状の筺体と、前記スリットに沿ってスライド可能の前記筺体に内蔵されたスライド部と、前記スライド部をスライド駆動するスライド駆動部とを備え、前記スライド駆動部は、前記筺体の長手方向の一方の端部に回動自在に取付けられる駆動ローラと、前記筺体の長手方向の他方の端部に回転自在に取付けられるローラと、前記駆動ローラと前記ローラに掛けられ一方の端が前記スライド部の一方に固定され、他方の端が前記スライド部の他方に固定され、前記駆動ローラには少なくとも二重に掛けられるワイヤとを設けることとしたため、極めて簡潔の構造でスライド駆動することができる。【００１５】  前記スライド部は、予め定めた液体を噴射する噴射ノズルを設けることとしたため、簡潔の構造で噴射ノズルをスライドさせながら噴射することができる。【００１６】  また、一端が前記スライド部の一方の側に取付けられ、他端が前記スライド部の他方の側に取付けられ、前記スリットをシールするシールベルトを備えることとしたため、飛散した不純物などが内部へ侵入ことを簡潔の構造で防止することができ、また、不純物などの付着を容易に清掃することができる。【００１７】  また、前記シールベルトは、ステンレスの薄板を使用することとしたため、シールベルトに付着した不純物などを拭くだけで極めて容易に清掃することができる。【００１８】  さらに、前記スライド部は、スライド可能の窓に取り付けることとしたため、極めて簡潔の構造でスライド式の窓をスライド駆動することができる。
【発明を実施するための最良の形態】
【００１９】  以下、本発明の実施の形態について説明する。
【実施例１】
【００２０】  図１は、本発明の第１の実施の形態のスライド駆動装置の図を示し、図１（ａ）は、一部を切り欠いた側面図を示し、図１（ｂ）は、図１（ａ）の矢視ＢＢの断面図を示し、図１（ｃ）は、図１（ａ）の矢視ＡＡの断面図を示す。
図１に示すように、本発明の第１の実施の形態のスライド駆動装置１０は、長手方向に沿って下面にスリット１２が形成された長方形状の筺体１１と、筺体１１に内蔵されスリット１２に沿ってスライド可能のスライド部２０と、スライド部２０をスライド可能に駆動するスライド駆動部３０と、スライド部２０がスライドしてもスリット１２をシールするシール機構４０とで構成されている。【００２１】  筺体１１は、内部にスライド部２０とスライド駆動部３０とを内蔵するために長手方向で沿って筺体１１ａと筺体１１ｂとが分割可能に形成され、筺体１１ａと筺体１１ｂとは固定ブラケット１３により互いに固定されている。
スライド部２０は、側面に４個の車輪２２が取付けられ、スリット１２に沿ってスライド可能に筺体１１に取付けられ、下側には噴射ノズル２３が外部に噴射可能に設けられている。噴射ノズル２３は、スリット１２に沿ってスライドしながら、スライド部２０に取付けられたホース（図示せず）から高圧の付着防止液が噴射される。【００２２】  スライド駆動部３０は、筺体１１の長手方向の一方の端部に回動自在に取付けられた駆動ローラ３１と、他方の端部に回転自在に取付けられたローラ３２と、駆動ローラ３１とローラ３２に掛けられ一方の端がスライド部２０の一方に固定され、他方の端がスライド部２０の他方に固定されたワイヤ３３とで構成されている。駆動ローラ３１は、筺体１１に形成された長穴（図示せず）にシャフト３１ａにより取付けられ、ローラ３２は、筺体１１に形成された長穴１４にシャフト３２ａにより取付けられている。駆動ローラ３１には、一端がシャフト３１ａに取付けられ他端が筺体１１の端部に取付けられたスプリング３５が取付けられ、ローラ３２にも同様にスプリング（図示せず）が取付けられている。また、ワイヤ３３は、駆動ローラ３１に二重に掛けられ、途中にテンションスプリング３４が取付けられている。そのため、駆動ローラ３１が、駆動モータ（図示せず）により回転駆動するとき、ワイヤ３３が駆動ローラ３１ですべることなくスライド部２０のスライド駆動を行うことができる。【００２３】  シール機構４０は、筺体１１の各コーナにそれぞれシャフト４１ａによりベルトローラ４１が回転自在に取付けられ、各コーナにそれぞれ取付けられた４個のベルトローラ４１にシールベルト４３が掛けられている。ベルトローラ４１は、シールベルト４３にテンションを与えるため、それぞれ筺体１１とシャフト４１ａの間にスプリング４４が取付けられている。シールベルト４３は、一端がスライド部２０の一方の下側に取付けられ、他端がスライド部２０の他方の下側に取付けられている。シールベルト４３の下側は、ガイド４５によりガイドされスリット１２をシールして筺体１１の下側を通り、シールベルト４３の上側は、筺体１１の上部の下側を通る。シールベルト４３は、ステンレスの薄板を使用するため、拭くだけで簡単に付着した不純物などの清掃を行うことができる。【００２４】  従って、以上の構成により、本発明の第１の実施の形態のスライド駆動装置１０は、スライド駆動部３０によりスライド部２０が筺体１１に形成されスリット１２に沿ってスライドし、スライド部２０に設けられた噴射ノズル２３から付着防止液が噴射される。また、スライド部２０がスリット１２に沿ってスライドし噴射ノズル２３から付着防止液を噴射するときも、常にシールベルト４３によりスリット１２はシールされる。【００２５】  以上に述べたように、本発明の第１の実施の形態のスライド駆動装置１０は、簡潔の構造で噴射ノズルをスライドさせながら噴射することができ、さらに、スライド部２０がスリット１２に沿ってスライドし噴射ノズル２３から付着防止液を噴射するときも、常にシールベルト４３によりスリット１２はシールされるため、古紙に含まれる不純物などが飛散し内部への侵入ことを簡潔の構造で防止することができ、また���シールベルト４３に不純物などが付着しても容易に清掃することができる。
なお、スライド駆動部３０では、ワイヤ３３を駆動ローラ３１に二重に掛けるようにしたが、三重以上に掛けることも、複数本同時に使用することもできる。
また、本発明の第１の実施の形態のスライド１駆動装置１０は、付着防止液を噴射することとしたが、これに限定されることなく、水などの液体の噴射もでき、さらにエアなどの気体の噴射も行うことができ、また、抄紙機以外のスライド移動しながら噴射する洗浄装置などにも使用することができる。
【実施例２】
【００２６】  図２は、本発明の第２の実施の形態のスライド駆動装置の図を示し、図２（ａ）は、一部を切り欠いた側面図を示し、図２（ｂ）は、図２（ａ）の矢視ＢＢの断面図を示す。
図２に示すように、本発明の第２の実施の形態のスライド駆動装置５０は、温室などで用いられるスライド式の天窓に取付けられ、長手方向に沿って下面にスリット５２が形成された長方形状の筺体５１と、筺体５１に内蔵されスリット５２に沿ってスライド可能の連結された２個のスライド部６０と、２個のスライド部６０をスライド可能に駆動するスライド駆動部７０で構成されている。【００２７】  筺体５１は、内部に２個のスライド部６０とスライド駆動部７０とを内蔵するために長手方向で沿って筺体５１ａと筺体５１ｂとが分割可能に形成され、筺体５１ａと筺体５１ｂとは固定ブラケット５３により互いに固定されている。
２個のスライド部６０は、それぞれ側面に４個の車輪６２が取付けられ、スリット５２に沿ってスライド可能に筺体５１に取付けられ、２個のスライド部６０の下側には温室などで用いられるスライド式の天窓５３が取付けられている。【００２８】  スライド駆動部７０は、筺体５１の長手方向の一方の端部に回動自在に取付けられた駆動ローラ７１と、他方の端部に回転自在に取付けられたローラ７２と、駆動ローラ７１とローラ７２に掛けられ一方の端がスライド部６０の一方に固定され、他方の端がスライド部６０の他方に固定されたワイヤ７３とで構成されている。駆動ローラ７１は、筺体５１に形成された長穴（図示せず）にシャフト７１ａにより取付けられ、ローラ７２は、筺体５１に形成された長穴５４にシャフト７２ａにより取付けられている。駆動ローラ７１には、一端がシャフト７１ａに取付けられ他端が筺体５１の端部に取付けられたスプリング７５が取付けられ、ローラ７２にも同様にスプリング（図示せず）が取付けられている。また、ワイヤ７３は、駆動ローラ７１に二重に掛けられ、途中にテンションスプリング７４が取付けられている。そのため、駆動ローラ７１が、駆動モータ（図示せず）により回転駆動するとき、ワイヤ７３が駆動ローラ７１ですべることなくスライド部６０のスライド駆動を行うことができる。【００２９】  従って、以上の構成により、本発明の第２の実施の形態のスライド駆動装置５０は、スライド駆動部７０によりスライド部６０が筺体５１に形成されスリット５２に沿ってスライドし、スライド部６０に取付けられたスライド式の天窓５３がスライド移動される。【００３０】  以上に述べたように、本発明の第２の実施の形態のスライド駆動装置５０は、簡潔の構造でスライド式の天窓５３をスライド移動することができる。
なお、スライド駆動部７０では、ワイヤ７３を駆動ローラ７１に二重に掛けるようにしたが、三重以上に掛けることも、複数本同時に使用することもできる。
また、本発明の第２の実施の形態のスライド駆動装置５０は、温室などで用いられるスライド式の天窓５３に取付けられる例につき説明したが、スライド式の吊窓などにも取り付けることができ、その他スライド駆動装置を必要とするものに取り付けることができ、また、スライド部６０を２個取付けるようにしたが、少なくとも１個取付けるようにすることもできる。
さらに、本発明の第２の実施の形態のスライド駆動装置５０は、本発明の第１の実施の形態のスライド駆動装置１０に設けたシール機構４０を設けるようにすることもできる。
【図面の簡単な説明】
【００３１】
【図１】  本発明の第１の実施の形態のスライド駆動装置の図を示す。
【図１（ａ）】  本発明の第１の実施の形態のスライド駆動装置の一部を切り欠いた側面図を示す。
【図１（ｂ）】  図１（ａ）の矢視ＢＢの断面図を示す。
【図１（ｃ）】  図１（ａ）の矢視ＡＡの断面図を示す。
【図２】  本発明の第２の実施の形態のスライド駆動装置の図を示す。
【図２（ａ）】  本発明の第２の実施の形態のスライド駆動装置の一部を切り欠いた側面図を示す。
【図２（ｂ）】  図２（ａ）の矢視ＢＢの断面図を示す。
【図３】  従来のスライド駆動装置の図を示す。
【図３（ａ）】  従来のスライド駆動装置の一部を切り欠いた側面図を示す。
【図３（ｂ）】  図３（ａ）の矢視ＡＡの断面図を示す。
【符号の説明】
【００３２】  １０、５０  スライド駆動装置
１１、５１  筺体
１２、５２  スリット
１３、５３  固定ブラケット
２０、６０  スライド部
２１  噴射本体
２２、６２  車輪
２３  噴射ノズル
３０、７０  スライド駆動部
３１、７１  駆動ローラ
３２、７２  ローラ
３３、７３  ワイヤ
３４、７４  テンションスプリング
３５、７５  スプリング
４０  シール機構
４１  ベルトローラ
４３  シールベルト
４４  スプリング
【図１】
2005106264.tif 000003
【図２】
2005106264.tif 000004
【図３】
2005106264.tif 000005